(57)【要約】【課題】太陽光を遮光したい夏季等には太陽光を十分に遮光できる一方、太陽光を採光したい冬季等には太陽光を十分に採光できるこのような調光を調光操作を要することなく実現できる調光カーテンを提供する。【解決手段】透光性を有するベース地２と、ベース地２の少なくとも一方の面に、該面から少なくとも一部が突出した態様で水平方向に延設された複数の庇部３と、を備え、ベース地２および複数の庇部３は、製織により一体に形成されたものであり、庇部３は、遮光性を有し、前記複数の庇部３は、上下方向に離間して設けられた構成とする。【選択図】図２
2019198511.tif 000002
【特許請求の範囲】
【請求項１】
透光性を有するベース地と、
前記ベース地の少なくとも一方の面に、該面から少なくとも一部が突出した態様で水平方向に延設された複数の庇部と、を備え、
前記ベース地および前記複数の庇部は、製織により一体に形成されたものであり、
前記庇部は、遮光性を有し、
前記複数の庇部は、上下方向に離間して設けられていることを特徴とする調光カーテン。
【請求項２】
前記庇部は、水平方向に延びるように配置されたベース地側緯糸と、該ベース地側緯糸に重ね合わせ状で水平方向に延びるように配置された先端側緯糸と、これら前後方向に並列配置された一対の緯糸をまとめて経糸が包囲した二重織り組織からなる請求項１に記載の調光カーテン。
【請求項３】
前記庇部の二重織り組織において、該庇部を構成する多数本の経糸のうち一部の経糸は、前記ベース地側緯糸と前記先端側緯糸の間に通された織り構造になっている請求項２に記載の調光カーテン。
【請求項４】
前記ベース地の前面と、前記庇部の下面とがなす角度が、７０°〜１１０°の範囲である請求項１〜３のいずれか１項に記載の調光カーテン。
【請求項５】
前記ベース地は、透光性を有する織地からなり、前記ベース地の織地を構成する緯糸の太さが２０デシテックス〜３４０デシテックスであり、前記ベース地の織地を構成する経糸の太さが２０デシテックス〜３４０デシテックスであり、
前記庇部を構成する緯糸の太さが１６０デシテックス〜１７００デシテックスであり、前記庇部を構成する経糸の太さが２０デシテックス〜３４０デシテックスであり、
かつ、前記庇部を構成する緯糸の太さは、前記ベース地の織地を構成する緯糸の太さより大きい請求項１〜４のいずれか１項に記載の調光カーテン。
【請求項６】
前記上下方向に隣り合う庇部の間隔を「Ｘ」とし、前記庇部の突出先端位置から前記ベース地の基面までの最短距離を「Ｙ」としたとき、
１．２≦（Ｘ／Ｙ）≦２．８
の関係式を満たす請求項１〜５のいずれか１項に記載の調光カーテン。
【請求項７】
透光性を有するベース地と、
前記ベース地の少なくとも一方の面に、該面から少なくとも一部が突出した態様で水平方向に延設された複数の庇部と、を備え、
前記ベース地および前記複数の庇部は、製織により一体に形成されたものであり、
前記庇部は、遮光性を有し、
前記複数の庇部は、上下方向に離間して設けられていることを特徴とする布帛。
【請求項８】
前記庇部は、水平方向に延びるように配置されたベース地側緯糸と、該ベース地側緯糸に重ね合わせ状で水平方向に延びるように配置された先端側緯糸と、これら前後方向に並列配置された一対の緯糸をまとめて経糸が包囲した二重織り組織からなる請求項７に記載の布帛。
【発明の詳細な説明】
【技術分野】
【０００１】
本発明は、夏季等には太陽光を十分に遮光できる一方、冬季等には太陽光を十分に採光できるこのような調光を調光操作を要することなく実現できる調光カーテンに関する。        
【０００２】
なお、本明細書および特許請求の範囲において、カーテンに関して、「前面」とは、カーテンが窓際等に設置された状態時における太陽光が入射してくる側の面を意味し、「背面」とは、カーテンが窓際等に設置された状態時における太陽光が入射してくる側とは反対側の面（例えば室内側）を意味するものとする。布帛に関して「前面」および「背面」も、上記カーテンに関する場合と同様であるものとする。
【０００３】
また、本明細書および特許請求の範囲において、カーテンに関して、「水平方向」とは、カーテンが窓際等に設置された状態時における水平方向を意味し、「上下方向」とは、カーテンが窓際等に設置された状態時における上下方向を意味するものとする。布帛に関して「水平方向」および「上下方向」も、上記カーテンに関する場合と同様である。
【背景技術】
【０００４】
太陽光等の外光を遮光する遮光カーテンとしては、第１層と第３層が織物で構成され、第２層の中間層が遮光性着色高分子シートで構成され，各層が接着剤で接着されてなる遮光カーテンが知られている（特許文献１参照）。
【０００５】
また、採光量の調節が可能な調光カーテンとしては、有機物基板上に透明電極，発色層，電解質層を積層し可とう性をもたせたエレクトロクロミック素子を構成要素の一つとして含む調光カーテンが提案されている（特許文献２参照）。例えば、５００ｍｍ×１０００ｍｍ×厚さ０．５ｍｍのポリエステルフィルム上にエレクトロクロミック素子を積層してなる調光カーテンが提案されている。前記エレクトロクロミック素子に電圧を印加すると青色に発光して調光できるというものである。
【先行技術文献】
【特許文献】
【０００６】
【特許文献１】特開平７−２９９８８８号公報
【特許文献２】特開平４−２４２２２６号公報
【発明の概要】
【発明が解決しようとする課題】
【０００７】
しかしながら、上記前者の遮光カーテンは、太陽光を遮光したい夏季には太陽光を十分に遮光できるものの、室内に太陽光を採光したい冬季には太陽光を十分に採光することができないという問題があった。従って、冬季に太陽光を十分に採光したい場合には、そのような十分な採光が可能となる別のカーテンに取り替える必要があった。
【０００８】
また、上記後者の調光カーテンでは、調光する際にはエレクトロクロミック素子に電圧を印加する必要があり、そのための操作が必要となる上に、電圧を印加するために電源部が必要になるという問題もあった。更に、上記調光カーテンは、ポリエステルフィルム上にエレクトロクロミック素子を積層してなるものであるから、従来からの織物等の布帛により形成されたカーテンと比較すると、風合いが著しく低下するし、品位にも欠けるという難点があった。
【０００９】
本発明は、かかる技術的背景に鑑みてなされたものであって、太陽光を遮光したい夏季等には太陽光を十分に遮光できる一方、太陽光を採光したい冬季等には太陽光を十分に採光できるこのような調光を調光操作を要することなく実現できる、風合いに優れた調光カーテンを提供することを目的とする。
【課題を解決するための手段】
【００１０】
前記目的を達成するために、本発明は以下の手段を提供する。
【００１１】
［１］透光性を有するベース地と、
前記ベース地の少なくとも一方の面に、該面から少なくとも一部が突出した態様で水平方向に延設された複数の庇部と、を備え、
前記ベース地および前記複数の庇部は、製織により一体に形成されたものであり、
前記庇部は、遮光性を有し、
前記複数の庇部は、上下方向に離間して設けられていることを特徴とする調光カーテン。
【００１２】
［２］前記庇部は、水平方向に延びるように配置されたベース地側緯糸と、該ベース地側緯糸に重ね合わせ状で水平方向に延びるように配置された先端側緯糸と、これら前後方向に並列配置された一対の緯糸をまとめて経糸が包囲した二重織り組織からなる前項１に記載の調光カーテン。
【００１３】
［３］前記庇部の二重織り組織において、該庇部を構成する多数本の経糸のうち一部の経糸は、前記ベース地側緯糸と前記先端側緯糸の間に通された織り構造になっている前項２に記載の調光カーテン。
【００１４】
［４］前記ベース地の前面と、前記庇部の下面とがなす角度が、７０°〜１１０°の範囲である前項１〜３のいずれか１項に記載の調光カーテン。
【００１５】
［５］前記ベース地は、透光性を有する織地からなり、前記ベース地の織地を構成する緯糸の太さが２０デシテックス〜３４０デシテックスであり、前記ベース地の織地を構成する経糸の太さが２０デシテックス〜３４０デシテックスであり、
前記庇部を構成する緯糸の太さが１６０デシテックス〜１７００デシテックスであり、前記庇部を構成する経糸の太さが２０デシテックス〜３４０デシテックスであり、
かつ、前記庇部を構成する緯糸の太さは、前記ベース地の織地を構成する緯糸の太さより大きい前項１〜４のいずれか１項に記載の調光カーテン。
【００１６】
［６］前記上下方向に隣り合う庇部の間隔を「Ｘ」とし、前記庇部の突出先端位置から前記ベース地の基面までの最短距離を「Ｙ」としたとき、
１．２≦（Ｘ／Ｙ）≦２．８
の関係式を満たす前項１〜５のいずれか１項に記載の調光カーテン。
【００１７】
［７］透光性を有するベース地と、
前記ベース地の少なくとも一方の面に、該面から少なくとも一部が突出した態様で水平方向に延設された複数の庇部と、を備え、
前記ベース地および前記複数の庇部は、製織により一体に形成されたものであり、
前記庇部は、遮光性を有し、
前記複数の庇部は、上下方向に離間して設けられていることを特徴とする布帛。
【００１８】
［８］前記庇部は、水平方向に延びるように配置されたベース地側緯糸と、該ベース地側緯糸に重ね合わせ状で水平方向に延びるように配置された先端側緯糸と、これら前後方向に並列配置された一対の緯糸をまとめて経糸が包囲した二重織り組織からなる前項７に記載の布帛。
【発明の効果】
【００１９】
［１］の発明では、透光性を有するベース地の少なくとも一方の面に、該面から少なくとも一部が突出した態様で水平方向に延ばされた遮光性の庇部が上下方向に離間して複数設けられているから、太陽の南中高度の高い夏季等には太陽光を十分に遮光できて、例えば夏季の室内温度の上昇を緩和させることができる一方、太陽の南中高度の低い冬季等には太陽光を十分に採光できて、例えば室内を暖めることができたり、暗くなり始めるのが早い冬季の夕方に太陽光を採光して室内を明るく維持することができる。また、本発明の調光カーテンでは、ベース地および複数の庇部は、製織により一体に形成されたものであるので、風合いに優れていて高品位である。
【００２０】
［２］の発明では、庇部が、前後方向に並列配置された一対の緯糸をまとめて経糸が包囲した二重織り組織からなる構成（例えば図２参照）であるので、太陽の南中高度の高い夏季のみならず、例えば春分から夏季にかけての時期および夏季から秋分にかけての時期においても太陽光を十分に遮光できる。
【００２１】
［３］の発明では、庇部の変形に対する耐久性を向上させることができる。
【００２２】
［４］の発明では、太陽光を遮光したい夏季等において太陽光をより十分に遮光できる。
【００２３】
［５］の発明では、太陽光を遮光したい夏季等には太陽光をより十分に遮光できる一方、太陽光を採光したい冬季等には太陽光をより十分に採光できる。
【００２４】
［６］の発明では、太陽高度が６０度程度でも遮光することが可能になる。
【００２５】
［７］の発明に係る布帛は、上記の調光カーテンとして好適に用いられ、この場合には、太陽の南中高度の高い夏季等には太陽光を十分に遮光できて、例えば夏季の室内温度の上昇を緩和させることができる一方、太陽の南中高度の低い冬季等には太陽光を十分に採光できて、例えば室内を暖めることができたり、暗くなり始めるのが早い冬季の夕方に太陽光を採光して室内を明るく維持することができる。また、本布帛は、ベース地および複数の庇部は、製織により一体に形成されたものであるので、風合いに優れていて高品位である。
【００２６】
［８］の発明では、庇部が、前後方向に並列配置された一対の緯糸をまとめて経糸が包囲した二重織り組織からなる構成であるので、太陽の南中高度の高い夏季のみならず、例えば春分から夏季にかけての時期および夏季から秋分にかけての時期においても太陽光を十分に遮光できる。
【図面の簡単な説明】
【００２７】
【図１】本発明の一実施形態に係る調光カーテンの吊り下げ状態の一例を示す正面図である。
【図２】図１におけるＡ−Ａ線の断面を模式的に示した断面図である。
【図３】図１の調光カーテンにおいて夏季に太陽光を十分に遮光できて、冬季には太陽光を十分に採光できる調光原理を説明する説明図（断面図）である。
【図４】図１の調光カーテンの前面側（正面側）からの顕微鏡拡大写真である。
【図５】調光性の評価法の説明図である。
【図６】実施例１の調光カーテンの庇部の織組織図である。
【図７】実施例４の調光カーテンの庇部の織組織図である。
【図８】実施例５の調光カーテンの庇部の織組織図である。
【図９】実施例７の調光カーテンの庇部の織組織図である。
【発明を実施するための形態】
【００２８】
本発明に係る調光カーテン１は、透光性を有するベース地２と、前記ベース地２の少なくとも一方の面に、該面から少なくとも一部が突出した態様で水平方向に延設された複数の庇部３と、を備え、前記庇部３は、遮光性を有し、前記複数の庇部３は、上下方向に離間して設けられている。
【００２９】
本発明に係る調光カーテンの一実施形態を図１、２に示す。この調光カーテン１は、ベース地２と、複数の庇部３と、を備えてなり、前記ベース地２及び前記複数の庇部３は、製織（せいしょく）により一体に形成されたもの（一体製織品；同時製織品；一体織地）である（図２参照）。
【００３０】
前記ベース地２は、透光性を有する一方、前記庇部３は、遮光性を有する。前記庇部３は、前記ベース地２の前面に、該前面から少なくとも一部が前方側に突出した態様で水平方向に延設されている（図１、２参照）。前記複数の庇部３は、上下方向に離間して設けられている（図１、２参照）。このように透光性を有するベース地２の前面に前方側に突出した態様で水平方向に延ばされた遮光性の庇部３が上下方向に離間して複数設けられているから、太陽の南中高度の高い夏季等には南中高度の高い太陽光５１を十分に遮光できて（図３参照）、例えば夏季の室内温度の上昇を緩和させることができる一方、太陽の南中高度の低い冬季等には南中高度の低い太陽光５２を十分に採光できて（図３参照）、例えば室内を暖めることができたり、暗くなり始めるのが早い冬季の夕方に太陽光を採光して室内を明るく維持することができる。
【００３１】
本実施形態では、前記ベース地２は、平織組織からなり、透光性を有するものとなされているが（図４参照）、前記ベース地２の組織形態は、透光性を有するものであれば、特に限定されず、例えば、綾組織、朱子組織を採用してもよい。図４の顕微鏡拡大写真に示すように、ベース地２の平織組織を構成する緯糸１１と経糸１２に関して、隣り合う緯糸１１同士の間および隣り合う経糸１２同士の間に隙間が明瞭に観察されているが、主にこのような隙間（空間）があることにより、前記ベース地２は、透光性を有するものとなされているが、特にこれに限定されるものではなく、例えば、前記緯糸１１や前記経糸１２の素材、形態等を選択することにより緯糸１１や経糸１２自体にも透光性を持たせることもできる。
【００３２】
本実施形態では、前記庇部３は、いずれも、水平方向に延びるように配置されたベース地側緯糸１３Ａと、該ベース地側緯糸１３Ａの前面に水平方向に延びるように配置された先端側緯糸１３Ｂと、これら前後に並列配置された一対の緯糸１３Ａ、１３Ｂを束ねてそのまわりを経糸１４が包囲した二重織り組織からなる（図２参照）。前記庇部３をこのような二重織り組織の構成とすることにより、太陽の南中高度の高い夏季のみならず、例えば太陽の南中高度がやや低下してくる春分から夏季にかけての時期および夏季から秋分にかけての時期においても太陽光を十分に遮光することができる。このように、本実施形態では、前記庇部３は、上述した二重織り組織からなる構成であるが、特にこのような構成に限定されるものではない。前記庇部３は、例えば、水平方向に延びるように配置されたベース地側緯糸と、該ベース地側緯糸の前面に水平方向に延びるように配置された中間緯糸と、該中間緯糸の前面に水平方向に延びるように配置された先端側緯糸と、これら前後方向に並列配置された３本の緯糸をまとめて経糸が包囲した三重織り組織からなる構成としてもよいし、或いは、単なる一重織り組織からなる構成（後述する実施例２、３参照）としてもよい。
【００３３】
なお、本実施形態では、前記庇部３の二重織り組織において、多数本の経糸１４のうち一部の経糸は、前記ベース地側緯糸１３Ａと前記先端側緯糸１３Ｂの間に通した織り構成としている（図４参照）。このような構成とすることで、前記庇部３の突出形状を安定化させることができる（例えば庇部３が前方側に突出した態様を安定化させることができて庇部３の下面が前方に向けて下方側に傾斜したり前方に向けて上方側に傾斜する等の変形を十分に防止できる）。即ち、前記庇部３の変形に対する耐久性を向上できる。
【００３４】
前記庇部３として、上述した二重織り組織からなる構成、又は上述した三重織り組織からなる構成等の多重織り組織を採用する場合において、前記ベース地２の前面と、前記庇部３の下面とがなす角度は７０°〜１１０°の範囲であるのが好ましく、８０°〜１００°の範囲であるのが特に好ましい。
【００３５】
前記ベース地２の織地を構成する緯糸１１の太さは、２０デシテックス〜３４０デシテックスであるのが好ましく、この場合には前記ベース地２の透光性を十分に確保できる。中でも、３０デシテックス〜２００デシテックスであるのがより好ましく、４０デシテックス〜９０デシテックスであるのが特に好ましい。
【００３６】
また、前記ベース地２の織地を構成する経糸１２の太さは、２０デシテックス〜３４０デシテックスであるのが好ましく、この場合には前記ベース地２の透光性を十分に確保できる。中でも、３０デシテックス〜２００デシテックスであるのがより好ましく、４０デシテックス〜９０デシテックスであるのが特に好ましい。
【００３７】
前記庇部３を構成する緯糸１３の太さは、１６０デシテックス〜１７００デシテックスであるのが好ましい。１６０デシテックス以上であることで庇部３の遮光性を十分に確保できると共に、１７００デシテックス以下であることでベース地２の採光の阻害を防止できる。中でも、前記庇部３を構成する緯糸１３の太さは、１８０デシテックス〜１０００デシテックスであるのがより好ましく、２００デシテックス〜５００デシテックスであるのが特に好ましい。
【００３８】
また、前記庇部３を構成する経糸１４の太さは、２０デシテックス〜３４０デシテックスであるのが好ましく、中でも、３０デシテックス〜２００デシテックスであるのがより好ましく、４０デシテックス〜９０デシテックスであるのが特に好ましい。
【００３９】
また、前記庇部３を構成する緯糸１３の太さは、前記ベース地２の織地を構成する緯糸１１の太さより大きい構成になっているのが好ましい（図２参照）。
【００４０】
また、上下方向に隣り合う庇部３の間隔Ｘは、０．５ｍｍ〜１．５ｍｍの範囲であり、前記庇部３の前面８から前記ベース地２の背面９までの最短距離Ｙは、０．２ｍｍ〜０．５ｍｍの範囲であるのが好ましい。
【００４１】
更に、前記上下方向に隣り合う庇部３の間隔を「Ｘ」とし、前記庇部３の前面（突出先端位置）８から前記ベース地２の背面（基面）９までの最短距離を「Ｙ」としたとき、
１．２≦（Ｘ／Ｙ）≦２．８
の関係式を満たす構成になっているのが好ましい（図２参照）。この場合には、太陽高度が６０度程度でも十分に遮光することが可能になる。
【００４２】
本発明において、前記ベース地２および庇部３を構成する経糸１２、１４としては、特に限定されないが、例えば、ブライト糸、セミダル糸、フルダル糸等を使用することができ、中でもセミダル糸を使用するのが好ましい。
【００４３】
また、前記ベース地２を構成する経糸１２としては、滑脱抵抗力の観点から、追撚をＳ方向に１ｍあたり７００回〜１１００回かけた構成であるのが好ましく、中でも、追撚をＳ方向に１ｍあたり８００回〜１０００回かけた構成であるのがより好ましく、８５０回〜９５０回かけた構成であるのが特に好ましい。また、前記ベース地２を構成する経糸１２としては、製織性の観点から、追撚をＳ方向に１ｍあたり７００回〜１１００回かけた構成とするか、又はサイジング（糊付け）を施すのが望ましい。
【００４４】
また、前記ベース地２を構成する緯糸１１としては、特に限定されるものではないが、例えば、ブライト糸、セミダル糸、フルダル糸等を使用することができ、中でもセミダル糸を使用するのが好ましい。前記ベース地２を構成する緯糸１１としては、滑脱抵抗力の観点から、追撚をＳ方向に１ｍあたり７００回〜１１００回かけた構成であるのが好ましく、中でも、追撚をＳ方向に１ｍあたり８００回〜１０００回かけた構成であるのがより好ましく、８５０回〜９５０回かけた構成であるのが特に好ましい。
【００４５】
また、前記庇部３を構成する緯糸１３としては、特に限定されるものではないが、例えば、ブライト糸、セミダル糸、フルダル糸等を使用することができ、中でもフルダル糸を使用するのが好ましい。
【００４６】
また、前記ベース地２を構成する緯糸１１及び経糸１２の素材としては、特に限定されないが、ポリエステル糸を用いるのが好ましい。この場合には、洗濯しても寸法等の変化を生じ難いポリエステル糸を用いていることで、調光カーテンの洗濯を行った後においても当初と同様のベース地２の透光度を維持できる。
【００４７】
なお、上記実施形態（図１〜４参照）では、庇部３は、ベース地２の前面側（太陽光が入射してくる側）に、該前面から少なくとも一部が前方側に突出した態様で水平方向に延設された構成が採用されているが、例えば、前記庇部３が、ベース地２の背面側（太陽光が入射してくる側とは反対側）に該背面から少なくとも一部が後方側に突出した態様で水平方向に延設された構成を採用してもよい。
【００４８】
また、前記庇部３が、ベース地２の前面側（太陽光が入射してくる側）に、該前面から少なくとも一部が前方側に突出した態様で水平方向に延設されると共に、ベース地２の背面側（太陽光が入射してくる側とは反対側）にも該背面から少なくとも一部が後方側に突出した態様で水平方向に延設された構成を採用してもよい。
【実施例】
【００４９】
次に、本発明の具体的実施例について説明するが、本発明はこれら実施例のものに特に限定されるものではない。
【００５０】
＜実施例１＞
a)ベース地の平織地を構成する緯糸１１：８４デシテックスのセミダル糸
b)ベース地の平織地を構成する経糸１２：８４デシテックスのセミダル糸（追撚をＳ方向に１ｍあたり１０００回かけた構成；１インチあたりに７０本の経糸を配置）
c)庇部を構成する緯糸13A、13B：３３４デシテックスのフルダル糸
d)庇部を構成する経糸１４：８４デシテックスのセミダル糸（追撚をＳ方向に１ｍあたり１０００回かけた構成；１インチあたりに７０本の経糸を配置）
上記構成からなる緯糸および経糸を用いて製織することによって、透光性を有する平織地からなるベース地２の前面に、該前面から少なくとも一部が前方側に突出した態様で水平方向に延設された複数の庇部３が、製織により一体に形成された一体製織品からなる調光カーテン１を得た（図１、２参照）。この実施例１の調光カーテンの庇部の織組織図を図６に示す。なお、庇部３は、水平方向に延びるように配置されたベース地側緯糸１３Ａと、該ベース地側緯糸の前面に水平方向に延びるように配置された先端側緯糸１３Ｂと、これら前後に並列配置された一対の緯糸をまとめて経糸１４が包囲した二重織り組織からなる構成である（図２参照）。また、庇部３の二重織り組織において、該庇部３を構成する多数本の経糸１４のうち一部（約１６．６％）の経糸は、ベース地側緯糸１３Ａと先端側緯糸１３Ｂの間に通された織り構造になっている（図４参照）。得られた調光カーテン１では、ベース地２用の緯糸１１を３本打ち込んだ後に、ベース地側緯糸１３Ａと先端側緯糸１３Ｂを二重織りで入れた基本構造を上下方向に繰り返した織り構造になっている（図２参照）。
【００５１】
得られた調光カーテンにおいて、ベース地２の前面と庇部３の下面とがなす角度は約９０°であった。また、調光カーテンにおいて、上下方向に隣り合う庇部の間隔Ｘは、０．８２ｍｍであり、庇部３の前面からベース地２の背面までの最短距離Ｙは０．３６ｍｍであった。よって（Ｘ／Ｙ）＝２．２８であった。
【００５２】
＜実施例２＞
ベース地の平織地を構成する緯糸として、８４デシテックスのセミダル糸に代えて、２２デシテックスのセミダル糸を用い、庇部３として、二重織り組織に代えて、水平方向に延びるように配置された１００２デシテックスのフルダル糸（太緯糸）によって形成された庇部構造（二重織り組織ではない）を採用し、上下方向に隣り合う庇部の間隔Ｘを０．６１ｍｍに設定し、庇部３の前面からベース地２の背面までの最短距離Ｙを０．３９ｍｍに設定した以外は、実施例１と同様にして図１に示す調光カーテン１を得た。得られた調光カーテン１では、ベース地２用の緯糸１１を３本打ち込んだ後に、庇部３用の太緯糸を１本打ち込んだ基本構造を上下方向に繰り返した織り構造になっている。
【００５３】
＜実施例３＞
庇部３として、二重織り組織に代えて、水平方向に延びるように配置された３３４デシテックスのフルダル糸（太緯糸）によって形成された庇部構造（二重織り組織ではない）を採用し、上下方向に隣り合う庇部の間隔Ｘを０．６４ｍｍに設定し、庇部３の前面からベース地２の背面までの最短距離Ｙを０．２７ｍｍに設定した以外は、実施例１と同様にして図１に示す調光カーテン１を得た。得られた調光カーテン１では、ベース地２用の緯糸１１を３本打ち込んだ後に、庇部３用の太緯糸を１本打ち込んだ基本構造を上下方向に繰り返した織り構造になっている。
【００５４】
＜実施例４＞
庇部における経糸の閉じ率を６６．６％（実施例１での庇部における経糸の閉じ率を１００％としたとき）に変更し、上下方向に隣り合う庇部の間隔Ｘを０．９０ｍｍに設定し、庇部３の前面からベース地２の背面までの最短距離Ｙを０．３６ｍｍに設定した以外は、実施例１と同様にして図１、２に示す調光カーテン１を得た。得られた調光カーテン１では、ベース地２用の緯糸１１を３本打ち込んだ後に、ベース地側緯糸１３Ａと先端側緯糸１３Ｂを二重織りで入れた基本構造を上下方向に繰り返した織り構造になっている（図２参照）。この実施例４の調光カーテンの庇部の織組織図を図７に示す。
【００５５】
＜実施例５＞
庇部における経糸の閉じ率を８３．３％（実施例１での庇部における経糸の閉じ率を１００％としたとき）に変更し、上下方向に隣り合う庇部の間隔Ｘを１．００ｍｍに設定し、庇部３の前面からベース地２の背面までの最短距離Ｙを０．３７ｍｍに設定した以外は、実施例１と同様にして図１、２に示す調光カーテン１を得た。得られた調光カーテン１では、ベース地２用の緯糸１１を３本打ち込んだ後に、ベース地側緯糸１３Ａと先端側緯糸１３Ｂを二重織りで入れた基本構造を上下方向に繰り返した織り構造になっている（図２参照）。この実施例５の調光カーテンの庇部の織組織図を図８に示す。
【００５６】
＜実施例６＞
ベース地の平織地を構成する緯糸として、８４デシテックスのセミダル糸に代えて、２２デシテックスのセミダル糸を用い、庇部を構成する緯糸として、３３４デシテックスのフルダル糸に代えて、１００２デシテックスのフルダル糸を用い、上下方向に隣り合う庇部の間隔Ｘを０．４８ｍｍに設定し、庇部３の前面からベース地２の背面までの最短距離Ｙを０．５８ｍｍに設定した以外は、実施例１と同様にして図１、２に示す調光カーテン１を得た。得られた調光カーテン１では、ベース地２用の緯糸１１を３本打ち込んだ後に、ベース地側緯糸１３Ａと先端側緯糸１３Ｂを二重織りで入れた基本構造を上下方向に繰り返した織り構造になっている（図２参照）。
【００５７】
＜実施例７＞
庇部の織組織として、図６に示す「庇部の織組織」に代えて、図９に示す「庇部の織組織」を採用して、上下方向に隣り合う庇部の間隔Ｘを０．８１ｍｍに設定し、庇部３の前面からベース地２の背面までの最短距離Ｙを０．２８ｍｍに設定した以外は、実施例１と同様にして図１、２に示す調光カーテン１を得た。得られた調光カーテン１では、ベース地２用の緯糸１１を３本打ち込んだ後に、ベース地側緯糸１３Ａと先端側緯糸１３Ｂを二重織りで入れた基本構造を上下方向に繰り返した織り構造になっている（図２参照）。
【００５８】
＜比較例１＞
８４デシテックスのセミダル糸からなる緯糸および８４デシテックスのセミダル糸からなる経糸を用いて製織（平織り）することによって、透光性を有する平織地からなるカーテンを得た。なお、平織地における織り密度は、実施例１のベース地の平織地の織り密度と同じに設定した。
【００５９】
【表１】
2019198511.tif 000003
【００６０】
上記のようにして得られた各カーテンについて下記評価法に基づいて調光性を評価した。その結果を表１に示す。
【００６１】
＜調光性評価法＞
図５に示すような調光性評価システムを構成した。３３は、枠形状の支持枠であり、この枠形状の支持枠の片面に調光カーテン１を粘着テープで固定する一方、その上方側にＬＥＤ光源３１を配置し、その下方側に照度計３２を配置した評価システムである。前記調光カーテン１の庇部３の長手方向（水平方向）が、図５での水平方向に平行状になるように、調光カーテン１を枠形状の支持枠３３に固定した。即ち、ＬＥＤ光源３１からの光３５が、図３で示す太陽光５１、５２のような態様で調光カーテン１に照射されるように、調光カーテン１を支持枠３３に固定した。
【００６２】
前記枠形状の支持枠３３は、側方側に固定されたクランプ（図示しない）の先端把持部で挟持固定する。そして、このクランプの固定角度を変えることにとって、前記枠形状の支持枠３３に取り付けられた調光カーテン１の角度を所定角度に変えることができる（図５参照）。前記照度計３２は、照度測定面を上に向けて床の上に載置し、前記ＬＥＤ光源３１は、クランプ（図示しない）により固定されて、ＬＥＤ光が垂直下方に向けて照射されるものとなされている（図５参照）。
【００６３】
上記ＬＥＤ光源３１としては、ＬＥＤＬＥＮＳＥＲ社製のＬＥＤ懐中電灯（型番：Ｍ７Ｒ、ヘッド直径：３８ｍｍ、レンズ直径：３０ｍｍ）を使用した。また、前記照度計３２としては、ミノルタ社製の照度計（型番：Ｔ−１０、照度測定の受光部：直径２５ｍｍ）を用いた。なお、ＬＥＤ光源３１の先端レンズと照度計３２の受光部の距離を４０ｃｍに設定するものとした。また、照度計３２の受光部に室内の散乱光が入らないようにその側面を覆うカバーを取り付けた。
【００６４】
気温２０±２℃、湿度５０±５％に設定された恒温恒湿部屋内に、前記調光性評価システムを配置した。枠形状の支持枠３３に固定された調光カーテン１の支持角度を変化させることにより、図５で示す角度α（調光カーテンの垂直線３４と光源光３５とがなす角度α）を２０°に設定し、この状態で室内を暗室にした後、ＬＥＤ懐中電灯を点灯させて、光が調光カーテン１および支持枠３３の空間３３ａを通過することで照度計３２に到達する光量（照度）を照度計で読み取った。この照度を「Ｇ」とする。なお、図５において、３６は、調光カーテン１を透過した透過光である。一方、予め、調光カーテンを取り付けていない支持枠３３に対して同様に暗室でＬＥＤ懐中電灯を点灯させた際の照度（ブランク）を照度計３２で読み取っておいて、この照度を「Ｅ」とする。
【００６５】
遮光率（％）＝｛（Ｅ−Ｇ）／Ｅ｝×１００
上記計算式により遮光率を求める。なお、角度αは、デジタル角度計を用いて求めるようにした。
【００６６】
更に、各カーテンについて、角度α（調光カーテンの垂直線３４と光源光３５とがなす角度α）を３０°、４０°、５０°、６０°、７０°、８０°に設定して、上記同様にして遮光率を求める。これらの結果を表１に示す。下記判定基準に基づいて調光性を評価した。
（判定基準）
「◎」…角度αが６０°において遮光率が８０．０％以上であり、角度αが７０°において遮光率が９０．０％以上であり、角度αが８０°において遮光率が９８．０％以上であるとともに、角度αが４０°において遮光率が８０．０％未満である（高角度光をより十分に遮光できていると共に低角度光をより十分に採光できている）
「○」…角度αが６０°において遮光率が８０．０％以上であり、角度αが７０°において遮光率が９０．０％以上であり、角度αが８０°において遮光率が９０．０％以上であるとともに、角度αが４０°において遮光率が８０．０％以上８７．０％未満である（高角度光を十分に遮光できていると共に低角度光を十分に採光できている）
「×」…下記のａ）、ｂ）、ｃ）、ｄ）の４つのうち少なくともいずれか１つの要件を満たす（高角度光の遮光性が不十分である、及び／又は、低角度光の採光性が不十分である）
ａ）角度αが６０°において遮光率が８０．０％未満である
ｂ）角度αが７０°において遮光率が９０．０％未満である
ｃ）角度αが８０°において遮光率が９０．０％未満である
ｄ）角度αが４０°において遮光率が８７．０％以上である。
【００６７】
＜参考例１＞
実施例１の調光カーテンを用いるが、実施例１の調光カーテンの庇部３の水平方向（長手方向）を上下方向に平行にした態様で支持枠３３に固定して、同様に調光性評価を評価した。その結果を表１に示す。
【００６８】
＜参考例２＞
比較例１のカーテンを用いるが、比較例１のカーテンを支持枠３３に固定する際に、カーテンの水平方向と上下方向を逆にして支持枠３３に固定して、同様に調光性評価を評価した。その結果を表１に示す。
【００６９】
表１から明らかなように、本発明に係る実施例１〜７の調光カーテンは、高角度光を十分に遮光できていると共に低角度光を十分に採光できており、例えば太陽光を遮光したい夏季等には太陽光を十分に遮光できる一方、太陽光を採光したい冬季等には太陽光を十分に採光できるこのような調光を調光操作を要することなく実現できる。
【００７０】
これに対し、庇部が設けられていない比較例１のカーテンでは、高角度光の遮光性が不十分であった。
【００７１】
なお、参考例２から明らかなように、比較例１の従来のカーテンでは、カーテンの水平方向と上下方向を逆にして支持枠３３に固定して調光性評価を評価したところ、調光性評価結果は、比較例１の結果と略同一であった。
【産業上の利用可能性】
【００７２】
本発明に係る調光カーテンは、夏季等には太陽光を十分に遮光できる一方、冬季等には太陽光を十分に採光できるこのような調光を調光操作を要することなく実現できると共に、風合いにも優れているから、オールシーズン用カーテンとして好適に用いられるが、特にこのような用途に限定されるものではない。
【符号の説明】
【００７３】
１…調光カーテン
２…ベース地
３…庇部
８…庇部の前面（庇部の突出先端位置）
９…ベース地の背面（ベース地の基面；カーテンの背面）
１１…ベース地の緯糸
１２…ベース地の経糸
１３…庇部の緯糸
１３Ａ…背面側緯糸（ベース地側緯糸）
１３Ｂ…前面側緯糸（先端側緯糸）
１４…庇部の経糸
Ｘ…隣り合う庇部の間隔
Ｙ…庇部の前面からベース地の背面までの最短距離
【図１】
2019198511.tif 000004
【図２】
2019198511.tif 000005
【図３】
2019198511.tif 000006
【図４】
2019198511.tif 000007
【図５】
2019198511.tif 000008
【図６】
2019198511.tif 000009
【図７】
2019198511.tif 000010
【図８】
2019198511.tif 000011
【図９】
2019198511.tif 000012